(57)【要約】    【課題】      受信信号の変動が大きい場合や受信信号が不連続の場合でも過去の判定結果に左右されず、正確かつ容易に３値判定を行うこと。    【解決手段】  同相加算部１０１は、複数の受信シンボルを加算して同相加算値を得る。逆相加算部１０２は、予め定めた受信シンボルの極性を反転し、この反転した受信シンボルと所定の受信シンボルとを加算する。逆相加算値平均化部１０３は、逆相加算部１０２で得られた加算値を平均化して逆相平均値を得る。送信信号有無判定部１０４は、同相加算値と逆相平均値と予め定めた閾値とに基づき、信号送信区間の送信信号の有無を判定する。第１／第２値判定部１０５は、所定の信号の送信を検出した時、同相加算値に基づき、３値の内の第１の値と第２の値とを判定し、判定結果を出力する。第３値出力部１０６は、所定の信号の送信を検出しない時、予め定めた信号を第３の値として出力する。  【選択図】      図１
2006157391.tif 000002
【特許請求の範囲】
【請求項１】
所定の信号送信区間で受信した複数の受信シンボルを加算して、同相加算値を得る第１加算手段と、
前記信号送信区間での前記複数の受信シンボルの内、所定の受信シンボルと、予め定めた受信シンボルの極性を反転し、この反転した受信シンボルとを加算する第２加算手段と、
前記第２加算手段で得られた加算値を平均化し、逆相平均値を得る逆相加算値平均化手段と、
前記同相加算値と前記逆相平均値と予め定めた閾値とに基づき、前記信号送信区間での送信信号の有無を判定する送信信号の有無判断手段と、
前記送信信号の有無判断手段が、所定の信号の送信を検出した時、前記同相加算値に基づき、３値の内の第１の値と第２の値とを判定し、判定結果を出力する第１／第２値出力手段と、
前記送信信号の有無判断手段が、所定の信号の送信を検出しない時、予め定めた信号を第３の値として出力する第３値出力手段と、
を具備することを特徴とする３値判定回路。
【請求項２】
前記第２加算手段は、前記信号送信区間での前記複数の受信シンボルの内の半分の受信シンボルの極性を反転して加算することを特徴とする請求項１記載の３値判定回路。
【請求項３】
所定の信号送信区間で、複数の受信シンボルを加算して、同相加算値を得ると共に、前記複数の受信シンボルの内、所定の受信シンボルと、予め定めた受信シンボルの極性を反転し、この反転した受信シンボルとを加算して逆相加算値を得、更に、この逆相加算値を平均化して逆相平均値を得る第１工程と、
前記同相加算値と前記逆相平均値と予め定めた閾値とに基づき、前記信号送信区間での送信信号の有無を判定する第２工程と、
前記第２工程で、所定の信号の送信を検出した時、前記同相加算値に基づき、３値の内の第１の値と第２の値とを判定して判定結果を出力し、又、所定の信号の送信を検出しない時、予め定めた信号を第３の値として出力する第３工程と、
を具備することを特徴とする信号判定方法。
【発明の詳細な説明】
【技術分野】
【０００１】
本発明は、３値判定回路及び信号判定方法に関し、特にディジタル移動通信システムにおける受信部において、受信信号の３値判定を行う３値判定回路及び信号判定方法に関する。
【背景技術】
【０００２】
従来の３値判定方法は、図４に示すように、同相加算部４０１と閾値判定部４０２とで構成されており、復調後の受信データを所定のシンボル数同相加算し、所定の閾値と比較することで３値判定を行っている。
【０００３】
また、過去の受信信号の振幅を参照することで、受信信号のうねりによる誤判定を防ぐ技術も提案されている（例えば、特許文献１）。
【特許文献１】特開平９−２４６９７６号公報
【発明の開示】
【発明が解決しようとする課題】
【０００４】
しかしながら、従来の３値判定方法においては、過去の受信信号の変動を基に判定閾値を補正するため、受信信号の変動が大きい場合や受信信号が不連続の場合には正確な判定を容易に行えないという問題がある。
【０００５】
本発明は、かかる点に鑑みてなされたものであり、受信信号の変動が大きい場合や受信信号が不連続の場合でも過去の判定結果に左右されず、正確かつ容易に３値判定を行うことができる３値判定回路及び信号判定方法を提供することを目的とする。
【課題を解決するための手段】
【０００６】
本発明の３値判定回路は、所定の信号送信区間で受信した複数の受信シンボルを加算して、同相加算値を得る第１加算手段と、前記信号送信区間での前記複数の受信シンボルの内、所定の受信シンボルと、予め定めた受信シンボルの極性を反転し、この反転した受信シンボルとを加算する第２加算手段と、前記第２加算手段で得られた加算値を平均化し、逆相平均値を得る逆相加算値平均化手段と、前記同相加算値と前記逆相平均値と予め定めた閾値とに基づき、前記信号送信区間での送信信号の有無を判定する送信信号の有無判断手段と、前記送信信号の有無判断手段が、所定の信号の送信を検出した時、前記同相加算値に基づき、３値の内の第１の値と第２の値とを判定し、判定結果を出力する第１／第２値出力手段と、前記送信信号の有無判断手段が、所定の信号の送信を検出しない時、予め定めた信号を第３の値として出力する第３値出力手段とを具備する構成を採る。
【０００７】
本発明の信号判定方法は、所定の信号送信区間で、複数の受信シンボルを加算して、同相加算値を得ると共に、前記複数の受信シンボルの内、所定の受信シンボルと、予め定めた受信シンボルの極性を反転し、この反転した受信シンボルとを加算して逆相加算値を得、更に、この逆相加算値を平均化して逆相平均値を得る第１工程と、前記同相加算値と前記逆相平均値と予め定めた閾値とに基づき、前記信号送信区間での送信信号の有無を判定する第２工程と、前記第２工程で、所定の信号の送信を検出した時、前記同相加算値に基づき、３値の内の第１の値と第２の値とを判定して判定結果を出力し、又、所定の信号の送信を検出しない時、予め定めた信号を第３の値として出力する第３工程と、を具備するようにした。
【発明の効果】
【０００８】
本発明によれば、受信信号の変動が大きい場合や受信信号が不連続の場合でも過去の判定結果に左右されず、正確かつ容易に３値判定を行うことができる。
【発明を実施するための最良の形態】
【０００９】
以下に、本発明の実施の形態について、図面を参照して詳細に説明する。図１は、本発明の実施の形態に係る３値判定回路の構成を示すブロック図である。
【００１０】
図１において、１０１は、所定の信号送信区間で受信した複数の受信シンボルを加算して、同相加算値を得る第１加算手段である同相加算部、１０２は、前記信号送信区間での複数の受信シンボルの内、所定の受信シンボルと、予め定めた受信シンボルの極性を反転し、この反転した受信シンボルとを加算する第２加算手段である逆相加算部、１０３は、逆相加算部１０２で得られた加算値を平均化し、逆相平均値を得る逆相加算値平均化部、１０４は、同相加算値と逆相平均値と予め定めた閾値とに基づき、前記信号送信区間の送信信号の有無を判定する送信信号有無判定部、１０５は、送信信号有無判定部１０４が、所定の信号の送信を検出した時、同相加算値に基づき、３値の内の第１の値と第２の値とを判定し、判定結果を出力する第１／第２値出力手段である第１／第２値判定部、１０６は、送信信号有無判定部１０４が、所定の信号の送信を検出しない時、予め定めた信号を第３の値として出力する第３値出力部である。
【００１１】
次に、本発明の３値判定回路の動作について、図２を用いて説明する。
【００１２】
以下の説明では、送信データ「０」は「１」、「１」は「−１」にそれぞれマッピングして６シンボル連続して送信される場合について説明する。なお、非送信区間では、送信データ「−１」が送信されることと定める。
【００１３】
又、図２では、送信区間２０１では、データ「０」が送信され、送信区間２０４では、データ「１」が送信されている状態を示している。
【００１４】
（１）送信信号の有無の判定
まず、同相加算部１０１は、下記のように、復調後、受信データを６シンボル毎に同相加算し、同相加算値Ｓｘを算出する。
【００１５】
各送信区間２００〜２０５での同相加算値Ｓｘは、順に、０＋Ｎ０、６＋Ｎ１、０＋Ｎ２、０＋Ｎ３、−６＋Ｎ４、０＋Ｎ５のようになる。なお、Ｎｘは、それぞれの区間ｘでのノイズ成分である。
【００１６】
同時に、逆相加算部１０２は、復調後受信データを交互に極性を判定して６シンボル加算し、逆相加算値Ｉｘを算出する。
【００１７】
従って、各送信区間２００〜２０５での逆相加算値Ｉｘは、順に、０＋Ｎ０′、０＋Ｎ１′、０＋Ｎ２′、０＋Ｎ３′、０＋Ｎ４′、０＋Ｎ５′のようになる。なお、Ｎｘ′は、それぞれの区間ｘでのノイズ成分である。このとき、交互に極性を反転するのではなく、前半部分又は後半部分の何れかを反転させるように構成しても良い。
【００１８】
次に、過去の複数の逆相加算値を逆相加算値平均化部１０３で平均化し、この値を逆相加算値Ｉｘとする。この逆相加算値Ｉｘを用いることで、ノイズレベルの測定精度を向上させることができる。
【００１９】
次に、送信信号有無判定部１０４は、前記同相加算値Ｓｘと逆相加算値Ｉｘの絶対値の比を予め定めた閾値Ｔｈｒと比較することで、送信、非送信の判定を行う。
【００２０】
Ｓｘ／Ｉｘ≧Ｔｈｒの場合、送信ありと判断する。又、Ｓｘ／Ｉｘ＜Ｔｈｒの場合、送信なしと判断する。
【００２１】
非送信の場合、Ｓｘは、ノイズのみとなるため、ＳｘとＩｘは、ほぼ同レベルとなり、従って、この場合、Ｓｘ／Ｉｘ＜Ｔｈｒとなる。
【００２２】
又、送信時には、Ｓｘには、送信データ成分が含まれるために、Ｓｘ≫Ｉｘとなり、Ｓｘ／Ｉｘ≧Ｔｈｒとなるから、送信／非送信の判定を行うことができる。さらに、判定の対象となる区間の受信信号のみを用いて判定を行うので、受信レベルの変動による影響は受けない。そして、信号を受信しない区間では、送信データは「−１」であるとして判定する。
【００２３】
（２）送信信号を受信した場合の送信値の判定
次に、送信ありと判定された場合には、下記のように、同相加算値Ｓｘの符号により送信値の判定を行う。
【００２４】
Ｓｘ≧０の場合、送信値「０」として判定する。又、Ｓｘ＜０の場合、送信値「１」として判定する。
【００２５】
次に、図３のフローチャートを参照して、３値判定の手順を説明する。
【００２６】
初めに、上記（１）の方法で、送信信号の有無を調べ（ＳＴ３０１）、送信データがないと判定された場合、この送信区間での送信値を「−１」と判定し、出力する（ＳＴ３０２）。一方、ＳＴ３０１で送信データがあると判定された場合、上記（２）の方法で、同相加算値Ｓｘの符号が正であれば（ＳＴ３０３）、送信値は「０」として判定して出力し（ＳＴ３０４）、同相加算値Ｓｘの符号が負であれば、送信値「１」として判定して出力する（ＳＴ３０５）。
【００２７】
このように、本実施の形態によれば、複数の受信シンボルの一部のシンボルの極性を変えて加算する逆相加算手段を設けることにより、送信、非送信に関わらず送信信号成分を相殺することで、雑音成分のみを測定できることとなり、信号の送信、非送信を簡単な構成で確実に判定することができる。これにより、３値判定を正確かつ容易に行うことができる。
【産業上の利用可能性】
【００２８】
本発明は、特に、ディジタル移動通信システムの受信部において、受信信号の３値判定に用いるのに好適である。
【図面の簡単な説明】
【００２９】
【図１】本発明の実施の形態に係る３値判定回路の構成を示すブロック図
【図２】本発明の実施の形態に係る３値判定回路の動作を説明する図
【図３】本発明の実施の形態に係る３値判定回路の動作を示すフロー図
【図４】従来技術の構成を示す回路図
【符号の説明】
【００３０】
１０１  同相加算部
１０２  逆相加算部
１０３  逆相加算値平均化部
１０４  送信信号有無判定部
１０５  第１／第２値判定部
１０６  第３値出力部
【図１】
2006157391.tif 000003
【図２】
2006157391.tif 000004
【図３】
2006157391.tif 000005
【図４】
2006157391.tif 000006